(57)【要約】【課題】  振動子２から放射される超音波は１つのフォーカスしか発生できないため、解像度もベネトレーション特性も１つに定型化されてしまうという問題があった。【解決手段】  超音波トランスジューサ１０は、球体を切断した一部からなる第１の振動部１１と、第１の振動部１１の球体より大径の球体を所定の幅に平行に切断したリング状の第２の振動部１２を第１の分離材１３によって一体に構成し、第２の振動部１２の球体より大径の球体を所定の幅に平行に切断したリング状の第３の振動部２１はリング状の第２の振動部１２の端部に第２の分離材２１によって一体に構成され、第１、第２、第３の振動部１１、１２、２２は外部電極１６、２０、２５の外側のバック材２６で一体に構成されている。【選択図】図１
2006101424.tif 000002
【特許請求の範囲】
【請求項１】
球体を切断した一部を構成する第１の振動部と、該第１の振動部の前記球体より大径の球体を所定の幅で平行に切断したリング状の第２の振動部と、前記第１の振動部と前記第２の振動部とを一体に構成する第１の分離材と、前記第１の振動部の内部電極に接続された第１の端子と、前記第２の振動部の内部電極に接続された第２の端子と、前記第１、第２の振動部の外部電極に接続されたアース端子とからなり、前記第１の振動部のフォーカスと第２の振動部のフォーカスを異ならせることを特徴とする超音波トランスジューサ。
【請求項２】
前記第２の振動部の前記球体より大径の球体を所定の幅に平行に切断したリング状の第３の振動部を前記リング状の第２の振動部の端部に第２の分離材で一体に構成することを特徴とする請求項１記載の超音波トランスジューサ。
【請求項３】
凹面体からなる第１の振動部と、該第１の振動部の前記凹面体とフォーカスの異なる凹面体を所定の幅で平行に切断したリング状の第２の振動部と、前記第１の振動部と前記第２の振動部とを一体に構成する第１の分離材と、前記第１の振動部の内部電極に接続された第１の端子と、前記第２の振動部の内部電極に接続された第２の端子と、前記第１、第２の振動部の外部電極に接続されたアース端子とからなることを特徴とする超音波トランスジューサ。
【請求項４】
前記第１、第２の振動部の前記凹面体とフォーカスの異なる凹面体を所定の幅に平行に切断したリング状の第３の振動部を前記リング状の第２の振動部の端部に第２の分離材で一体に構成することを特徴とする請求項３記載の超音波トランスジューサ。
【発明の詳細な説明】
【技術分野】
【０００１】
本発明は、１つの振動子で異なったフォーカスの超音波を発生することができる超音波トランスジューサに関するものである。
【背景技術】
【０００２】
従来、図２に示すように、円筒状のケース１の先端部に凹面状の振動子２を装着し、振動子２の放射面側及び背面側にそれぞれ電極３及び４が形成され、放射面側の電極３の前面にマッチング層５が装着され、さらに、背面側の電極３４の背部にパッキン層６が装着され、電極３、４にケーブル７のリード線８、９が接続され、このように構成した超音波トランスジューサを図２の矢印のように左右に振って超音波を送受波するように構成している。
【０００３】
しかしながら、このように構成された従来の超音波トランスジューサでは、振動子２が１つの曲率を持っているだけであるので、振動子２から放射される超音波は１つのフォーカスしか発生できないため、解像度もベネトレーション特性も１つに定型化されてしまうという問題があった。
【特許文献１】特開平６−９０４９９号
【発明の開示】
【発明が解決しようとする課題】
【０００４】
解決しようとする問題点は、振動子２から放射される超音波は１つのフォーカスしか発生できないため、解像度もベネトレーション特性も１つに定型化されてしまうという問題があった。
【課題を解決するための手段】
【０００５】
本発明では、第１の振動部は球体を切断した一部を構成するものであり、リング状の第２の振動部は第１の振動部の球体より大径の球体を所定の幅で平行に切断したものであり、第１の分離材は第１の振動部と第２の振動部とを一体に構成するものであり、第１の端子は第１の振動部の内部電極に接続され、第２の端子は第２の振動部の内部電極に接続され、アース端子は第１、第２の振動部の外部電極に接続され、第１の振動部のフォーカスと第２の振動部のフォーカスを異ならせるものである。
【発明の効果】
【０００６】
本発明の超音波トランスジューサは、第１の振動部、第２の振動部及び第３の振動部のフォーカスを異ならせることにより、ターゲット深度に対するフォーカスを最適化し、ベネトレーションを向上させることができ、又、第１、第２、第３の振動部を常時同時駆動すると、焦点域の分解能は劣るが、浅部から深部にかけて全体的に平均的な焦点を結ぶことができ、又、浅部を観察するときは、第１の振動部を駆動し、中域を観察するときは、第１の振動部と第３の振動部を同時に駆動するか、第２の振動部のみを駆動し、さらに、深部を観察するときは、第１、第２、第３の振動部を同時に駆動するか、第２、第３の振動部を同時に駆動するか、第３の振動部のみを駆動する。
【実施例】
【０００７】
図１は本発明の実施例の超音波トランスジューサの側面断面図で、超音波トランスジューサ１０は、球体を切断した一部からなる第１の振動部１１と、第１の振動部１１の球体より大径の球体を所定の幅に平行に切断したリング状の第２の振動部１２を第１の分離材１３によって一体に構成し、第１の振動部１１の内側に内部電極１４を装着し、第１の端子１５を接続し、第１の振動部１１の外側に外部電極１６を装着し、外部電極１６にアース端子１７を接続し、第２の振動部１２の内側に内部電極１８を装着し、内部電極１８に第２の端子１９を接続し、第２の振動部１２の外側の外部電極２０は第１の振動部の外部電極１６に接続され、又、第２の振動部１２の球体より大径の球体を所定の幅に平行に切断したリング状の第３の振動部２１はリング状の第２の振動部１２の端部に第２の分離材２１によって一体に構成され、第３の振動部２２の内部電極２３に第３の端子２４が接続され、第３の振動部２２の外部電極２５は第２の振動部１２の外部電極２０に接続され、さらに、第１、第２、第３の振動部１１、１２、２２は外部電極１６、２０、２５の外側のバック材２６で一体に構成されている。
【０００８】
このように構成された本実施例の超音波トランスジューサは、浅部を観察するときは、第１の振動部１１を駆動し、中域を観察するときは、第１の振動部１１及び第２の振動部１２を同時に駆動するか、第２の振動部１２のみを駆動し、さらに、深部を観察するときは、第１、第２、第３の振動部１１、１２、２１を同時に駆動するか、第２の振動部１２と第３の振動部２１を同時に駆動するか、又は第３の振動部２１のみを駆動すればよく、第１、第２、第３の振動部１１、１２、２１はそれぞれの球体の直径が異なるために、第１、第２、第３の振動部１１、１２、２１から放射される超音波のフォーカスが異なるために、ターゲット深度に対して、フォーカスを最適化することができ、ベネトレーションを向上させることができる。
【産業上の利用可能性】
【０００９】
なお、上記実施例では、超音波トランスジューサ１０は第１、第２、第３の振動部１１、１２、２１を一体に構成した例を示したが、第１、第２の振動部１１、１２だけで構成しても良いし、又、第１、第２、第３の振動部で説明したが、同心円状のアレイ振動子であれは、素子数をさらに増加してもよいし、さらに、上記実施例では、第１、第２、第３の振動子を径の異なった球体によって形成した例を説明したが、第１、第２、第３の振動部をフォーカスの異なる凹面体で構成してもよい。
【図面の簡単な説明】
【００１０】
【図１】本発明の実施例の超音波トランスジューサの側面断面図である。
【図２】従来の超音波トランスジューサの側面断面図である。
【符号の説明】
【００１１】
１０              超音波トランスジューサ
１１              第１の振動部
１２              第２の振動部
１３              第１の分離材
１４              内部電極
１５              第１の端子
１６              外部電極
１７              アース電極
１８              内部電極
１９              第２の端子
２０              外部電極
２１              第２の分離材
２２              第３の振動部
２３              内部電極
２４              第３の端子
２５              外部電極
２６              バック材
【図１】
2006101424.tif 000003
【図２】
2006101424.tif 000004